(57)【要約】【課題】監視対象の通信装置が多種多様なメーカにより製造されたものであっても、すべての監視対象の通信装置の異常・故障の発生箇所を、表示装置の一つの画面に表示させるネットワーク監視装置を提供する。【解決手段】通信装置から送信される監視対象部位の状態を示す情報がパターン化されたオブジェクトが取りうるオブジェクトパターンと、オブジェクトパターンの意味する一覧設定情報とを記憶するオブジェクト一覧設定情報記憶部と、通信装置との疎通確認結果情報を生成する疎通確認部と、通信装置にオブジェクトの送信を要求するオブジェクト情報要求部と、通信装置から取得したオブジェクトと一致するオブジェクトパターンから一覧設定情報を取得するオブジェクト情報取得部と、通信装置すべてにおける疎通確認結果情報と監視対象部位の一覧設定情報とを含む一覧情報を生成する一覧情報生成部と、一覧情報を表示部に表示させる表示情報出力部とを備える。【選択図】図２
2010232733.tif 000002
【特許請求の範囲】
【請求項１】
ネットワークを介して通信部と接続された１または複数の通信装置から、前記通信装置の監視対象部位の状態を示す情報がパターン化されて、同じ監視対象部位において状態が同じであっても前記通信装置毎に異なるオブジェクトを取得し、前記通信装置の状態を表示部に表示させるネットワーク監視装置において、
前記通信装置から送信される前記オブジェクトが取りうるオブジェクトパターンと、前記オブジェクトパターンそれぞれの意味する一覧設定情報とを記憶するオブジェクト一覧設定情報記憶部と、
前記通信装置と疎通確認を行い、疎通確認結果情報を生成する疎通確認部と、
疎通確認した前記通信装置に前記オブジェクトの送信を要求するオブジェクト情報要求部と、
前記通信装置から取得した前記オブジェクトと一致する前記オブジェクト一覧設定情報記憶部に記憶された前記オブジェクトパターンから、前記オブジェクト一覧設定情報記憶部に記憶された前記一覧設定情報を取得するオブジェクト情報取得部と、
前記通信装置すべてにおける、前記疎通確認部が生成した前記通信装置に係る疎通確認結果情報と、前記オブジェクト情報取得部が取得した前記通信装置の監視対象部位それぞれの前記一覧設定情報とを含む一覧情報を生成する一覧情報生成部と、
前記一覧情報を前記表示部に表示させる表示情報出力部と
を備えることを特徴とするネットワーク監視装置。
【請求項２】
請求項１に記載されたネットワーク監視装置は、ＳＮＭＰを用いて前記通信装置を監視するネットワーク監視装置であって、
前記通信装置はＭＩＢを備え、前記ＭＩＢには、前記通信装置の監視対象部位それぞれに割り振られたオブジェクトＩＤと、前記監視対象部位の状態を示す情報がパターン化されて、同じ監視対象部位において状態が同じであっても前記通信装置毎に異なるオブジェクトとが格納され、
前記オブジェクト一覧設定情報記憶部は、さらに、前記通信装置の前記ＭＩＢに格納された前記オブジェクトＩＤの複製である記憶ＯＩＤを記憶し、
前記疎通確認部は、ＰＩＮＧを用いて前記通信装置と疎通確認を行い、
前記オブジェクト情報要求部は、前記オブジェクト一覧設定情報記憶部から前記記憶ＯＩＤを取得し、前記記憶ＯＩＤを含むオブジェクト情報取得要求データを生成して送信し、
前記オブジェクト情報取得部は、前記通信装置から取得した前記オブジェクトＩＤおよび前記オブジェクトと、前記オブジェクト一覧設定情報記憶部に記憶された前記記憶ＯＩＤおよび前記オブジェクトパターンとから、前記オブジェクト一覧設定情報記憶部に記憶された前記一覧設定情報を取得する
ことを特徴とするネットワーク監視装置。
【請求項３】
前記一覧情報は、前記通信装置すべてにおける、前記疎通確認部が生成した前記通信装置に係る疎通確認結果情報と、前記オブジェクト情報取得部が取得した前記通信装置の監視対象部位それぞれの前記一覧設定情報とがマトリクス状に構成され、前記疎通確認結果情報および前記一覧設定情報に応じた色で識別されていることを特徴とする請求項１または請求項２に記載されたネットワーク監視装置。
【請求項４】
前記疎通確認結果情報および前記一覧設定情報は、正常を示す情報、異常または故障を示す情報、注意を示す情報、監視対象外を示す情報、前記疎通確認要求に応じなかったことを示す情報のいずれか一つを示すことを特徴とする請求項１乃至請求項３のいずれか１項に記載されたネットワーク監視装置。
【請求項５】
前記通信装置が送出するメッセージを受信するメッセージ受信部と、
前記メッセージからアラームメッセージを抽出し、前記アラームメッセージを前記表示装置に表示させるアラームメッセージ表示部と
をさらに備えることを特徴とする請求項１乃至請求項４のいずれか１項に記載されたネットワーク監視装置。
【請求項６】
通信装置はＭＩＢを備え、前記ＭＩＢには、前記通信装置の監視対象部位それぞれに割り振られたオブジェクトＩＤと、前記監視対象部位の状態を示す情報がパターン化されて、同じ監視対象部位において状態が同じであっても前記通信装置毎に異なるオブジェクトとが格納され、
ネットワークを介して通信部と接続された１または複数の前記通信装置を、ＳＮＭＰを用いて監視し、前記通信装置の状態を表示部に表示させるネットワーク監視装置において、
前記通信装置の前記ＭＩＢに格納された前記オブジェクトＩＤの複製である記憶ＯＩＤと、前記オブジェクトＩＤが割り振られた監視対象部位が取りうる前記オブジェクトのパターンすべてのオブジェクトパターンと、前記オブジェクトパターンそれぞれの一覧設定情報とを記憶するオブジェクト一覧設定情報記憶部と、
ＰＩＮＧを用いて前記通信装置と疎通確認を行い、疎通確認結果情報を生成する疎通確認部と、
前記オブジェクト一覧設定情報記憶部から前記記憶ＯＩＤを取得し、前記記憶ＯＩＤを含むオブジェクト情報取得要求データを生成して、疎通確認した前記通信装置に送信するオブジェクト情報要求部と、
前記通信装置から取得した前記オブジェクトＩＤおよび前記オブジェクトと、前記オブジェクト一覧設定情報記憶部に記憶された前記記憶ＯＩＤおよび前記オブジェクトパターンとから、前記オブジェクト一覧設定情報記憶部に記憶された前記一覧設定情報を取得するオブジェクト情報取得部と、
前記通信装置すべてにおける、前記疎通確認部が生成した前記通信装置に係る疎通確認結果情報と、前記オブジェクト情報取得部が取得した前記通信装置の監視対象部位それぞれの前記一覧設定情報とを含む一覧情報を生成する一覧情報生成部と、
前記一覧情報を前記表示部に表示させる表示情報出力部と
を備えることを特徴とするネットワーク監視装置。
【請求項７】
ネットワークを介して通信部と接続された１または複数の通信装置から、前記通信装置の監視対象部位の状態を示す情報がパターン化されて、同じ監視対象部位において状態が同じであっても前記通信装置毎に異なるオブジェクトを取得し、前記通信装置から送信される前記オブジェクトが取りうるオブジェクトパターンと、前記オブジェクトパターンそれぞれの意味する一覧設定情報とを記憶するオブジェクト一覧設定情報記憶部を備えるネットワーク監視装置のコンピュータを、
前記通信装置と疎通確認を行い、疎通確認結果情報を生成する疎通確認手段、
疎通確認した前記通信装置に前記オブジェクトの送信を要求するオブジェクト情報要求手段、
前記通信装置から取得した前記オブジェクトと一致する、前記オブジェクト一覧設定情報記憶部に記憶された前記オブジェクトパターンとから、前記オブジェクト一覧設定情報記憶部に記憶された前記一覧設定情報を取得するオブジェクト情報取得手段、
前記通信装置すべてにおける、前記疎通確認結果情報と、前記通信装置の監視対象部位それぞれの前記一覧設定情報とを含む一覧情報を生成する一覧情報生成手段、
前記一覧情報を表示部に表示させる表示情報出力手段
として機能させることを特徴とするネットワーク監視プログラム。
【請求項８】
通信装置はＭＩＢを備え、前記ＭＩＢには、前記通信装置の監視対象部位それぞれに割り振られたオブジェクトＩＤと、前記監視対象部位の状態を示す情報がパターン化されて、同じ監視対象部位において状態が同じであっても前記通信装置毎に異なるオブジェクトとが格納され、
ネットワークを介して通信部と接続された１または複数の前記通信装置を、ＳＮＭＰを用いて監視し、前記通信装置の前記ＭＩＢに格納された前記オブジェクトＩＤの複製である記憶ＯＩＤと、前記オブジェクトＩＤが割り振られた監視対象部位が取りうる前記オブジェクトのパターンすべてのオブジェクトパターンと、前記オブジェクトパターンそれぞれの一覧設定情報とを記憶するオブジェクト一覧設定情報記憶部を備えるネットワーク監視装置のコンピュータを、
ＰＩＮＧを用いて前記通信装置と疎通確認を行い、疎通確認結果情報を生成する疎通確認手段、
前記オブジェクト一覧設定情報記憶部から前記記憶ＯＩＤを取得し、前記記憶ＯＩＤを含むオブジェクト情報取得要求データを生成して、疎通確認した前記通信装置に送信するオブジェクト情報要求手段、
前記通信装置から取得した前記オブジェクトＩＤおよび前記オブジェクトと、前記オブジェクト一覧設定情報記憶部に記憶された前記記憶ＯＩＤおよび前記オブジェクトパターンとから、前記オブジェクト一覧設定情報記憶部に記憶された前記一覧設定情報を取得するオブジェクト情報取得手段、
前記通信装置すべてにおける、前記疎通確認結果情報と、前記通信装置の監視対象部位それぞれの前記一覧設定情報とを含む一覧情報を生成する一覧情報生成手段、
前記一覧情報を表示部に表示させる表示情報出力手段
として機能させることを特徴とするネットワーク監視プログラム。
【発明の詳細な説明】
【技術分野】
【０００１】
本発明は、ネットワーク監視装置に関し、特に、ネットワークを介して、１または複数の通信装置の運用状態を監視するネットワーク監視装置に関する。
【背景技術】
【０００２】
従来の一般的なネットワーク監視装置による監視制御は、ＳＮＭＰ（Simple Network Management Protocol）を利用して行われる。このネットワーク監視装置による監視制御は、監視対象の通信装置（ＳＮＭＰエージェント）に対してＩＣＭＰ（Internet Control Message Protocol）によるネットワーク監視装置と通信装置との間の疎通確認情報（ＰＩＮＧ：Packet INternet Groper）や、ＳＮＭＰエージェントを備えた通信装置から送出されるアラームメッセージを含むトラップ（Ｔｒａｐ）をＳＮＭＰマネージャであるネットワーク監視装置が受信し、アラームメッセージを一つの画面に表示する手法であった。
そのため、ネットワーク監視装置は、通信装置に係るハードウェア的な部位を対象としたアラームメッセージと、通信装置に係る保守運用のソフトウェアを対象としたアラームメッセージとを画面に表示させていた。
【０００３】
また、漢詩対象の通信装置（ＳＮＭＰエージェント）がブレード型サーバの場合、ネットワーク監視装置は通信装置から、その通信装置を構成する部位の状態を示すＭＩＢ（Management Information Base）値を取得して、物理的な実装イメージ図を作成して画面に表示する手法などを用いて、ハードウェア的な部位を個別に監視していた。
【先行技術文献】
【特許文献】
【０００４】
【特許文献１】特開平１１−１５４９５０号公報
【発明の概要】
【発明が解決しようとする課題】
【０００５】
しかしながら、従来のネットワーク監視装置は、ネットワーク監視装置の監視対象となる通信装置に対して、ハードウェア的な部位を対象とした監視と、保守運用のソフトウェアを対象とした監視とを行い、その監視によるアラームメッセージを一つの表示装置の画面に表示させていた。
また、通信装置が多種多様なメーカにより製造されたマルチベンダな監視システムである場合、従来のネットワーク監視装置は、それら通信装置それぞれの監視表と、それらすべての通信装置から送信されるアラームメッセージとを一つの表示装置の画面に表示させていた。
【０００６】
このように、従来のネットワーク監視装置は、一つの表示装置の画面に、複数の通信装置からの情報が表示させているため、画面に表示されたアラームメッセージがスクロールされやすく、保守員（監視者）がアラームを見落とすことがあった。
多種多様なメーカにより製造された通信装置において、何が起こっているのか、何の障害が残っているのか、ハードウェア的な部位（電源、ファン、温度、ＣＰＵ（Central Processing Unit）、メモリ、バス、ＮＩＣ（Network Interface Card）、ポート、ストレージなど）の障害なのか、もしくは、ソフトウェアの保守運用（機器の保守閉塞や障害閉塞などの運用状態、機器が備えるＣＰＵ、メモリ、ＨＤＤなどのリソース使用率など）の異常なのかを、保守員は、アラームメッセージから判断しなければならないが、アラームメッセージから異常・故障の発生箇所をピンポイントで特定することが困難だった。
また、保守員は、アラームメッセージから異常・故障の発生箇所をピンポイントで探すために、アラームメッセージを各通信装置の種類やメッセージのカテゴリでの絞り込みを行っていたが、手間がかかるという問題があった。
【０００７】
また、監視対象の通信装置に対して、物理的な実装イメージ図を用いてハードウェア的な部位を個別に監視することは、ブレード型サーバの通信装置であれば監視できるが、ブレード型サーバ以外の通信装置の場合に監視できない。そのため、ブレード型サーバ以外の通信装置の場合、アラームメッセージを監視しなければならなかった。このように、監視対象の通信装置によって監視手法が異なるという問題があった。
【０００８】
そして、すべての監視対象の通信装置からのアラームメッセージを統合監視するにあたり、監視対象の通信装置が多種多様なメーカにより製造されたものである場合、メーカ独自のアラームメッセージもあるため、通信装置からのアラームメッセージは多岐に渡った。そして、それらすべての監視対象の通信装置からのアラームメッセージを熟知した専門の保守員が監視する必要があり、一般人が簡単に通信装置を監視することができないという問題があった。
【０００９】
本発明は、以上のような問題を解決するためになされたものであり、監視対象の通信装置が多種多様なメーカにより製造されたものであっても、すべての監視対象の通信装置の異常・故障の発生箇所を、表示装置の一つの画面に表示させるネットワーク監視装置を提供することを課題とする。
【課題を解決するための手段】
【００１０】
前記課題を解決するために、本発明の請求項１に記載のネットワーク監視装置は、ネットワークを介して通信部と接続された１または複数の通信装置から、前記通信装置の監視対象部位の状態を示す情報がパターン化されて、同じ監視対象部位において状態が同じであっても前記通信装置毎に異なるオブジェクトを取得し、前記通信装置の状態を表示部に表示させるネットワーク監視装置であって、オブジェクト一覧設定情報記憶部と、疎通確認部と、オブジェクト情報要求部と、オブジェクト情報取得部と、一覧情報生成部と、表示情報出力部とを備える構成とした。
【００１１】
かかる構成において、ネットワーク監視装置は、多種多様なメーカにより製造された通信装置から送信されるオブジェクトが取りうるオブジェクトパターンと、オブジェクトパターンそれぞれの意味する一覧設定情報とを記憶するオブジェクト一覧設定情報記憶部を備える。
【００１２】
請求項２に記載されたネットワーク監視装置は、請求項１に記載されたネットワーク監視装置がＳＮＭＰを用いて前記通信装置を監視するネットワーク監視装置であって、前記通信装置はＭＩＢを備え、前記ＭＩＢには、前記通信装置の監視対象部位それぞれに割り振られたオブジェクトＩＤと、前記監視対象部位の状態を示す情報がパターン化されて、同じ監視対象部位において状態が同じであっても前記通信装置毎に異なるオブジェクトとが格納され、ＳＮＭＰを用いて前記通信装置を監視するネットワーク監視装置であって、前記オブジェクト一覧設定情報記憶部は、さらに、前記通信装置の前記ＭＩＢに格納された前記オブジェクトＩＤの複製である記憶ＯＩＤを記憶し、前記疎通確認部は、ＰＩＮＧを用いて前記通信装置と疎通確認を行い、前記オブジェクト情報要求部は、前記オブジェクト一覧設定情報記憶部から前記記憶ＯＩＤを取得し、前記記憶ＯＩＤを含むオブジェクト情報取得要求データを生成して送信し、前記オブジェクト情報取得部は、前記通信装置から取得した前記オブジェクトＩＤおよび前記オブジェクトと、前記オブジェクト一覧設定情報記憶部に記憶された前記記憶ＯＩＤおよび前記オブジェクトパターンとから、前記オブジェクト一覧設定情報記憶部に記憶された前記一覧設定情報を取得することを特徴とする。
【００１３】
かかる構成において、ＳＮＭＰを用いて、ＳＮＭＰマネージャに相当するネットワーク監視装置が、ＳＮＭＰエージェントである多種多様なメーカにより製造された通信装置を、監視する。
また、ネットワーク監視装置は、多種多様なメーカにより製造された通信装置のＭＩＢに格納されたオブジェクトＩＤの複製である記憶ＯＩＤと、オブジェクトＩＤが割り振られた監視対象部位が取りうる前記オブジェクトのパターンすべてのオブジェクトパターンと、オブジェクトパターンそれぞれの一覧設定情報とを記憶するオブジェクト一覧設定情報記憶部を備える。
【００１４】
請求項３に記載のネットワーク監視装置は、請求項１または請求項２に記載されたネットワーク監視装置において、前記一覧情報は、前記通信装置すべてにおける、前記疎通確認部が生成した前記通信装置に係る疎通確認結果情報と、前記オブジェクト情報取得部が取得した前記通信装置の監視対象部位それぞれの前記一覧設定情報とがマトリクス状に構成され、前記疎通確認結果情報および前記一覧設定情報に応じた色で識別されていることを特徴とする。
【００１５】
かかる構成において、ネットワーク監視装置は、多種多様なメーカにより製造された通信装置との疎通確認結果情報と、監視対象部位それぞれの前記一覧設定情報とをマトリクス状に構成した一覧情報を、表示部に表示させる。
【００１６】
請求項４に記載のネットワーク監視装置は、請求項１乃至請求項３のいずれか１項に記載されたネットワーク監視装置において、前記疎通確認結果情報および前記一覧設定情報が、正常を示す情報、異常または故障を示す情報、注意を示す情報、監視対象外を示す情報、前記疎通確認要求に応じなかったことを示す情報のいずれか一つを示すことを特徴とする。
【００１７】
かかる構成において、ネットワーク監視装置は、多種多様なメーカにより製造された通信装置それぞれの監視対象部位の監視結果を、正常を示す情報、異常または故障を示す情報、注意を示す情報、監視対象外を示す情報、前記疎通確認要求に応じなかったことを示す情報のいずれか一つで示す。
【００１８】
請求項５に記載のネットワーク監視装置は、請求項１乃至請求項４のいずれか１項に記載されたネットワーク監視装置において、前記通信装置が送出するメッセージを受信するメッセージ受信部と、前記メッセージからアラームメッセージを抽出し、前記アラームメッセージを前記表示装置に表示させるアラームメッセージ表示部とをさらに備えることを特徴とする。
【００１９】
かかる構成において、ネットワーク監視装置は、表示部にアラームメッセージをする。
【００２０】
請求項６に記載のネットワーク監視装置は、通信装置はＭＩＢを備え、前記ＭＩＢには、前記通信装置の監視対象部位それぞれに割り振られたオブジェクトＩＤと、前記監視対象部位の状態を示す情報がパターン化されて、同じ監視対象部位において状態が同じであっても前記通信装置毎に異なるオブジェクトとが格納され、ネットワークを介して通信部と接続された１または複数の前記通信装置を、ＳＮＭＰを用いて監視し、前記通信装置の状態を表示部に表示させるネットワーク監視装置において、オブジェクト一覧設定情報記憶部と、疎通確認部と、オブジェクト情報要求部と、オブジェクト情報取得部と、一覧情報生成部と、表示情報出力部とを備える構成とする。
【００２１】
請求項７に記載のネットワーク監視プログラムは、ネットワークを介して通信部と接続された１または複数の通信装置から、前記通信装置の監視対象部位の状態を示す情報がパターン化されて、同じ監視対象部位において状態が同じであっても前記通信装置毎に異なるオブジェクトを取得し、前記通信装置から送信される前記オブジェクトが取りうるオブジェクトパターンと、前記オブジェクトパターンそれぞれの意味する一覧設定情報とを記憶するオブジェクト一覧設定情報記憶部を備えるネットワーク監視装置のコンピュータを、疎通確認手段、オブジェクト情報要求手段、オブジェクト情報取得手段、一覧情報生成手段、表示情報出力手段として機能させることを特徴とする。
【００２２】
請求項８に記載のネットワーク監視プログラムは、通信装置はＭＩＢを備え、前記ＭＩＢには、前記通信装置の監視対象部位それぞれに割り振られたオブジェクトＩＤと、前記監視対象部位の状態を示す情報がパターン化されたオブジェクトとが格納され、ネットワークを介して通信部と接続された１または複数の前記通信装置を、ＳＮＭＰを用いて監視し、前記通信装置の前記ＭＩＢに格納された前記オブジェクトＩＤの複製である記憶ＯＩＤと、前記オブジェクトＩＤが割り振られた監視対象部位が取りうる前記オブジェクトのパターンすべてのオブジェクトパターンと、前記オブジェクトパターンそれぞれの一覧設定情報とを記憶するオブジェクト一覧設定情報記憶部を備えるネットワーク監視装置のコンピュータを、疎通確認手段、オブジェクト情報要求手段、オブジェクト情報取得手段、一覧情報生成手段、表示情報出力手段として機能させることを特徴とする。
【発明の効果】
【００２３】
本発明は、以下に示す優れた効果を奏するものである。
請求項１に記載の発明によれば、多種多様なメーカにより製造された通信装置を監視する場合であっても、それらの通信装置から送信される監視対象部位の状態を示す情報（オブジェクト）のすべてのパターン（オブジェクトパターン）と、オブジェクトパターンそれぞれの意味する一覧設定情報とを、予め記憶するオブジェクト一覧設定情報記憶部を備え、表示部に表示させる一覧情報には一覧設定情報を表示する。
そのため、多種多様なメーカにより製造された通信装置から送信される、監視対象部位の状態を示す多種多様な情報を、保守員が理解しやすいように設定された一覧設定情報に変換して、表示部に表示することができる。
【００２４】
請求項２に記載の発明によれば、多種多様なメーカにより製造された通信装置を、ＳＮＭＰを用いて監視するため、監視対象部位の状態を示す情報は、通信装置のＭＩＢに格納されている。そのため、予めオブジェクト一覧設定情報記憶部に記憶すべき情報を、通信装置のＭＩＢに格納された情報を取得すればよいため、容易に取得することができる。
【００２５】
また、請求項２に記載の発明によれば、多種多様なメーカにより製造された通信装置を監視する場合であっても、多種多様なメーカにより製造された通信装置が備えるＭＩＢに格納された、監視対象部位それぞれに割り振られた前記オブジェクトＩＤの複製である記憶ＯＩＤと、オブジェクトＩＤが割り振られた監視対象部位が取りうる監視対象部位の状態を示す情報（オブジェクト）のパターンすべてのオブジェクトパターンと、オブジェクトパターンそれぞれの一覧設定情報とを、予め記憶するオブジェクト一覧設定情報記憶部を備え、表示部に一覧設定情報を含む一覧情報を表示する。
そのため、多種多様なメーカにより製造された通信装置から送信される、監視対象部位の状態を示す多種多様な情報を、保守員が理解しやすいように設定された一覧設定情報に変換して、表示部に表示することができる。
【００２６】
請求項３に記載の発明によれば、多種多様なメーカにより製造された通信装置との疎通確認結果情報と、監視対象部位それぞれの前記一覧設定情報とをマトリクス状に構成した一覧情報を、表示部に表示させるため、表示部を見て通信装置を監視している保守員は、一覧情報からすぐに通信装置のどの監視対象部位で異常や故障が発生しているかを瞬時に判断することができる。
【００２７】
請求項４に記載の発明によれば、多種多様なメーカにより製造された通信装置との疎通確認結果情報および監視対象部位それぞれの一覧設定情報が、正常を示す情報、異常または故障を示す情報、注意を示す情報、監視対象外を示す情報、前記疎通確認要求に応じなかったことを示す情報のいずれか一つで示されるため、表示部を見て通信装置を監視している保守員は、一覧情報からすぐに通信装置のどの監視対象部位で異常や故障が発生しているかを瞬時に判断することができる。
【００２８】
請求項５に記載の発明によれば、表示部にアラームメッセージをするため、表示部を見て通信装置を監視している保守員は、一覧情報だけでなく、アラームメッセージも見て、監視対象部位で発生している異常や故障の内容を確認して、的確な対応をとることができる。
【図面の簡単な説明】
【００２９】
【図１】第１の実施形態に係るネットワーク監視装置を含むネットワーク監視システムの構成図である。
【図２】第１の実施形態に係るネットワーク監視装置の構成図である。
【図３】第１の実施形態に係るネットワーク監視装置の動作のフローチャートである。
【図４】第１の実施形態に係るネットワーク監視装置の動作のフローチャートである。
【図５】第１の実施形態に係るネットワーク監視装置の動作のフローチャートである。
【図６】第１の実施形態に係るネットワーク監視装置が保守端末装置の表示部の画面に表示させる監視表の一例である。
【発明を実施するための形態】
【００３０】
次に、本発明の実施形態について、適宜、図面を参照しながら詳細に説明する。
（第１実施形態）
図１は、第１の実施形態に係るネットワーク監視装置を含むネットワーク監視システムの構成図であり、図２は、第１の実施形態に係るネットワーク監視装置の構成図である。
ネットワーク監視システム１００は、ネットワーク監視装置１と、複数の通信装置２（通信装置２Ａ、通信装置２Ｂ、通信装置２Ｃ、・・・）と、保守端末装置３と、それぞれを通信可能に接続するネットワークＮとで構成されるシステムである。
【００３１】
（ネットワークＮ）
ネットワークＮは、ＬＡＮ（Local Area Network）やＷＡＮ（Wide Area Network）、インターネット等の回線による有線通信であってもよいし、電波による無線通信であってもよく、様々な通信形態を適用可能であり、ネットワーク監視装置１と、複数の通信装置２と、保守端末装置３とはＴＣＰ／ＩＰ、ＳＮＭＰ、ＩＣＭＰなどのプロトコルを用いて、通信が行われる。
【００３２】
（保守端末装置３）
保守端末装置３は、ネットワークＮを介してネットワーク監視装置１と接続し、ネットワーク監視装置１から送信される一覧情報（監視表１４１；図６）を受信し、表示部Ｖの画面に監視表１４１を表示させる装置である。これにより、保守員Ｍは、表示部Ｖの画面を見て通信装置２の状態を確認することができる。
【００３３】
（通信装置２）
通信装置２は、ネットワークＮを介してネットワーク監視装置１と接続し、ネットワーク監視装置１からの要求に応じてデータの送受信を行う装置であり、ＳＮＭＰエージェントに相当する。通信装置２は、例えばハブやルータなどであり、通信装置２には複数の端末（端末２００１、端末２００２、端末２００３、・・・）が接続されている。
また、通信装置２は、ＭＩＢ２１（Management information base：管理情報ベース）を備え、そのＭＩＢ２１には、通信装置２の監視対象部位の状態を示す情報（監視対象部位状態情報）がパターン化されたオブジェクト２１１と、その監視対象部位それぞれに割り振られたオブジェクトＩＤ（ＯＩＤ）２１２とが格納されている。これにより、オブジェクトＩＤ２１２を一つ指定することにより、唯一つの監視対象部位が決まり、その監視対象部位の監視対象部位状態情報であるオブジェクト２１１を取得することが可能になる。よって、通信装置２は、ネットワーク監視装置１からオブジェクトＩＤ２１２が指定されたデータを受信した場合に、オブジェクトＩＤ２１２に対応するオブジェクト２１１をネットワーク監視装置１に送信することができる。
【００３４】
（ネットワーク監視装置１）
ネットワーク監視装置１は、ネットワークＮを介して、複数の通信装置２（通信装置２Ａ、通信装置２Ｂ、通信装置２Ｃ、・・・）および保守端末装置３と接続し、データの送受信を行って通信装置２から監視対象部位の状態を示す情報（オブジェクト２１１）を取得し、予め記憶された情報から、オブジェクト２１１に対応する一覧設定情報を取得し、その一覧設定情報を含む監視表１４１を生成し、保守端末装置３の表示部Ｖに表示させる装置であり、ＳＮＭＰマネージャに相当する。
【００３５】
ネットワーク監視装置１は、図２に示すように、通信部１１と、疎通確認部１２と、通信装置監視情報取得部１３と、一覧情報生成部１４と、表示情報出力部１５と、記憶部１６（オブジェクト一覧設定情報記憶部１６１、保守端末装置情報記憶部１６２）とを備える。
ここで、図２に示すように、ネットワーク監視装置１は、通信装置監視情報取得部１３を複数備えていることとする。ここでは、通信装置２（２Ａ、２Ｂ、２Ｃ、・・・）と同数の通信装置監視情報取得部１３（１３Ａ、１３Ｂ、１３Ｃ、・・・）を備え、一つの通信装置２（２Ａ）のすべての処理を一つの通信装置監視情報取得部１３（１３Ａ）が行う。これにより、すべての通信装置２におけるすべての処理を、通信装置監視情報取得部１３単体で行うより、複数の通信装置監視情報取得部１３（１３Ａ、１３Ｂ、１３Ｃ、・・・）を備える通信装置監視情報取得部群１３０で行うほうが、処理速度の向上を期待できる。
【００３６】
なお、ネットワーク監視装置１は、図示を省略したＣＰＵ（Central Processing Unit）、ＲＯＭ（Read Only Memory）、ＲＡＭ（Random Access Memory）、ＨＤＤ（Hard Disc Drive）などを備えた一般的なコンピュータで構成することができ、コンピュータを前記した各構成部として機能させるプログラムにより動作させることができる。
【００３７】
（通信部１１）
通信部１１は、ネットワークＮと接続するインタフェースを備え、通信装置２および保守端末装置３とデータの送受信をする構成部である。
ネットワーク監視装置１が備える各構成部は通信部１１を介して、データの送受信を行い、また、通信部１１は、通信装置２や保守端末装置３から送信された応答信号や各種データを、ネットワーク監視装置１が備える各構成部に正しく出力する。通信部１１は、処理のために必要な制御部（ＣＰＵなど）、記憶部（ＲＯＭ、ＲＡＭ、ＨＤＤなど）やＤＢ（Data Base）などを備える。
また、通信部１１は、通信装置２のホスト名と、その通信装置２のＩＰアドレス（Internet Protocol Address）とを変換する情報と、保守端末装置３のホスト名と、その保守端末装置３のＩＰアドレス（Internet Protocol Address）とを変換する情報とを記憶している。
【００３８】
（疎通確認部１２）
疎通確認部１２は、通信部１１を介して通信装置２と疎通確認を行い、疎通確認結果情報を生成して一覧情報生成部１４に出力する構成部である。
疎通確認部１２は、通信部１１を介して、ＩＣＭＰ（Internet Control Message Protocol）を用いて、ＰＩＮＧ（Packet INternet Groper）コマンドを用いて、通信装置２に疎通確認要求データを送信する。そして、所定の時間内に疎通確認の応答があれば、疎通状態が“正常”である旨の疎通確認結果情報を生成する。一方、所定の時間内に疎通確認の応答がなければ、疎通確認部１２は、疎通状態が“不明”である旨の疎通確認結果情報を生成する。そして、疎通確認部１２は、生成した疎通確認結果情報を一覧情報生成部１４に出力する。
【００３９】
疎通確認部１２は、疎通確認を行うときに、オブジェクト一覧設定情報記憶部１６１から疎通確認先である通信装置２のホスト名を一つ取得する。このとき、疎通確認部１２は記憶部１６（オブジェクト一覧設定情報記憶部１６１）から未取得のホスト名があるか否かを判定する。未取得のホスト名があれば、記憶部１６（オブジェクト一覧設定情報記憶部１６１）から未取得のホスト名を一つ取得する。一方、未取得のホスト名がなければ、疎通確認部１２は一覧情報生成部１４に処理を行わせる。これにより、疎通確認部１２は、すべての通信装置２に対して、疎通確認を行うことができる。
ここで、未取得のホスト名があるか否かの判定は、ホスト名を取得したときに、フラグを立てるなどしてホスト名が取得されたことを記憶部１６に記憶させ、フラグが立っているか否かで判定してもよい。
【００４０】
（通信装置監視情報取得部１３）
通信装置監視情報取得部１３は、後記する記憶部１６（オブジェクト一覧設定情報記憶部１６１）に記録されている監視対象部位のオブジェクトＩＤ１６１２を含んだオブジェクト情報取得要求データを生成して、通信装置２に送信し、そして、通信装置２から受信した応答データに含まれたオブジェクト２１１の内容を一覧情報生成部１４に出力する構成部であり、オブジェクト情報要求部１３１と、オブジェクト情報取得部１３２とを備える。
【００４１】
（オブジェクト情報要求部１３１）
オブジェクト情報要求部１３１は、疎通確認要求データ送信先の通信装置２に、記憶部１６（オブジェクト一覧設定情報記憶部１６１）に記録されている監視対象部位のオブジェクトＩＤ１６１２を含んだオブジェクト情報取得要求データを送信する構成部である。
【００４２】
オブジェクト情報要求部１３１は、後記する記憶部１６（オブジェクト一覧設定情報記憶部１６１）から疎通確認要求データ送信先の通信装置２における、監視対象部位のオブジェクトＩＤ１６１２を一つ取得する。このとき、取得すべき監視対象部位のオブジェクトＩＤ１６１２を取得できたか否かを、オブジェクトＩＤ１６１２がオブジェクト一覧設定情報記憶部１６１に記録されているか否かで判定する。
取得すべき監視対象部位のオブジェクトＩＤ１６１２が記録されていなければ、オブジェクトＩＤ１６１２を取得できなかったとして、オブジェクト情報要求部１３１は監視対象外情報を生成して、一覧情報生成部１４に出力する。
一方、取得すべき監視対象部位のオブジェクトＩＤ１６１２が記録されていれば、オブジェクトＩＤ１６１２を取得できたとして、オブジェクト情報要求部１３１は、そのオブジェクトＩＤ１６１２を含んだオブジェクト情報取得要求データを生成する。そして、通信部１１を介して、疎通確認要求データ送信先の通信装置２に、オブジェクト情報取得要求データを送信する。
ここで、オブジェクト情報要求部１３１はオブジェクト情報取得要求データとして、例えば、ＳＮＭＰコマンドの“GetRequest”を通信装置２に送信する。
【００４３】
オブジェクト情報要求部１３１は、後記するオブジェクト一覧設定情報記憶部１６１に、疎通確認要求データ送信先の通信装置２における未取得の監視対象部位のオブジェクトＩＤ１６１２があるか否かを判定する。
未取得の監視対象部位のオブジェクトＩＤ１６１２があれば、オブジェクト情報要求部１３１は、そのオブジェクトＩＤ１６１２を一つ取得し、前記取得すべき監視対象部位のオブジェクトＩＤ１６１２を取得できたか否かの判定処理を繰り返す。
一方、未取得の監視対象部位のオブジェクトＩＤ１６１２がなければ、オブジェクト情報取得部１３２は、疎通確認部１２に他の通信装置２と疎通確認を行わせる。
【００４４】
（オブジェクト情報取得部１３２）
オブジェクト情報取得部１３２は、通信装置２から受信した応答データに含まれるオブジェクト２１１の内容を判定し、一覧情報生成部１４に出力する構成部である。
【００４５】
オブジェクト情報取得部１３２は、通信装置２から受信した応答データ（例えば、ＳＮＭＰコマンド“GetResponse”）に含まれるオブジェクトＩＤ２１２（＝オブジェクトＩＤ１６１２）に対応するオブジェクト２１１（監視対象部位の状態情報）を取得する。
そして、オブジェクト情報取得部１３２は、オブジェクト２１１の内容を以下の手順により判定する。
【００４６】
オブジェクト情報取得部１３２は、応答データに含まれるオブジェクトＩＤ２１２とオブジェクト２１１とに合致する、オブジェクト一覧設定情報記憶部１６１に記録されたオブジェクトＩＤ１６１２とオブジェクトパターン１６１３とから、一覧設定情報１６１４を取得する。オブジェクト情報取得部１３２は、取得した一覧設定情報１６１４を、オブジェクト２１１の内容として判定する。
【００４７】
オブジェクト２１１の内容（一覧設定情報１６１４）が『正常』である旨の内容である場合、オブジェクト情報取得部１３２は、オブジェクトＩＤ１６１２と一覧設定情報「正常」とを一覧情報生成部１４に出力する。
一方、オブジェクト２１１の内容（一覧設定情報１６１４）が『故障』である旨の内容である場合、オブジェクト情報取得部１３２は、オブジェクトＩＤ１６１２と一覧設定情報「故障」とを一覧情報生成部１４に出力する。
また、オブジェクト２１１の内容（一覧設定情報１６１４）が『注意』である旨の内容である場合、オブジェクト情報取得部１３２は、オブジェクトＩＤ１６１２と一覧設定情報「注意」とを一覧情報生成部１４に出力する。
【００４８】
一覧情報生成部１４は、取得した情報から監視表１４１を生成する構成部である。
ここで、図６に、第１の実施形態に係るネットワーク監視装置１が保守端末装置３の表示部Ｖの画面に表示させる監視表１４１の一例を示す。
（監視表１４１）
縦軸には、通信装置項目である「監視機器種別」と「ホスト名」との一対のデータ項目が設定されている。「監視機器種別」には、ネットワーク監視装置１が監視する通信装置２に付けられた名称のすべて（通信装置２Ａ、通信装置２Ｂ、通信装置２Ｃ、・・・）が表示され、「ホスト名」には、その通信装置２のそれぞれに付けられたホスト名（ｈｏｓｔ−Ａ、ｈｏｓｔ−Ｂ、ｈｏｓｔ−Ｃ、・・・）が表示されている。
横軸には、監視項目である『疎通状態』と『運用状態』と『部位状態』と『リソース使用率』とが設定されている。そして、『部位状態』はさらに、『電源』と『ファン』と『温度』と『ＣＰＵ数』と『メモリ』と『Ｉ／Ｏバス』（Input/Output bus）と『ＮＩＣ』と『ストレージ』とに分類される。
【００４９】
そして、監視表１４１は、縦軸の通信装置項目（『監視機器種別』と『ホスト名』との一対のデータ項目）と、横軸の監視項目のそれぞれ（『疎通状態』、『運用状態』、『部位状態』、『リソース使用率』）とが、マトリクス状に構成されている。
【００５０】
（一覧情報生成部１４）
一覧情報生成部１４は、疎通確認部１２から疎通確認結果情報を取得して、疎通確認要求データ送信先の通信装置２における、監視表１４１の監視項目『疎通状態』に疎通確認結果情報の内容を設定する。例えば、疎通確認結果情報の内容が「不明」であれば、監視項目『疎通状態』に「不明」を設定し、疎通確認結果情報の内容が「正常」であれば、監視項目『疎通状態』に「正常」を設定する。
また、一覧情報生成部１４は、オブジェクト情報要求部１３１から監視対象外情報を取得して、疎通確認要求データ送信先の通信装置２における、監視表１４１の監視対象部位に係る監視項目を「監視対象外」に設定する。
そして、一覧情報生成部１４は、オブジェクト情報取得部１３２から、オブジェクトＩＤ１６１２と一覧設定情報とを取得して、疎通確認要求データ送信先の通信装置２における、監視表１４１の監視対象部位（オブジェクトＩＤ１６１２）に係る監視項目に「一覧設定情報」を設定する。例えば、一覧設定情報の内容が「正常」であれば、監視項目に「正常」を設定し、一覧設定情報の内容が「故障」であれば、監視項目に「故障」を設定し、一覧設定情報の内容が「注意」であれば、監視項目に「注意」を設定する。
ここで、一覧設定情報の内容は、「正常」、「故障」、「注意」の三つに分類される情報としたが、さらに細かく分類しても構わない。
【００５１】
ここで、一覧情報生成部１４により生成され、表示部Ｖに表示される監視表１４１は、通信装置２の監視項目についての状態情報が色分けされて表示される。具体的には、図６に示すように、監視項目に係る監視対象部位などの状態が「正常」であれば“緑色”、「注意」であれば“黄色”、「故障や異常」であれば“赤色”、「不明」であれば“青色”、そして、監視項目に対応する監視対象部位が「監視対象外（非監視）」であれば“灰色”に色分けされて表示される。
ここで、表示される色は限定されるものではない。また、一覧設定情報の内容をさらに細かく分類した場合には、それに伴い、重複しない色が設定されるものである。
図６では便宜上、“緑色”は『ドット』で示し、“黄色”は『右下がりの斜線縞』で示し、“赤色”は『右上がりの斜線縞』で示し、“青色”は『格子模様』で示し、“灰色”は『縦縞』で示す。
【００５２】
（表示情報出力部１５）
表示情報出力部１５は、記憶部１６（保守端末装置情報記憶部１６２）から保守端末装置３のホスト名を取得し、さらに、監視表１４１を保守端末装置３の表示部Ｖで表示可能な形式のデータにして、保守端末装置３に送信する構成部である。これにより、保守端末装置３の表示部Ｖに、図６に示す監視表１４１を表示させることができる。
【００５３】
（記憶部１６）
記憶部１６は、データを記憶する構成部であり、オブジェクト一覧設定情報記憶部１６１と、保守端末装置情報記憶部１６２とを備える。
【００５４】
（オブジェクト一覧設定情報記憶部１６１）
オブジェクト一覧設定情報記憶部１６１は、通信装置２のホスト名１６１１と、その通信装置２が備えるすべての監視対象部位のオブジェクトＩＤ１６１２（＝オブジェクトＩＤ２１２）と、そのオブジェクトＩＤ２１２が割り振られた監視対象部位が取りうる前記オブジェクト２１１のパターンすべてのオブジェクトパターン１６１３と、そのオブジェクトパターン１６１３に割り当てられた一覧設定情報１６１４とがそれぞれ紐付いて記録されるデータベースである。
このオブジェクト一覧設定情報記憶部１６１は、予め保守員Ｍなどにより生成されたデータベースであり、データベースを構成する各情報は、通信装置２のＭＩＢ（標準ＭＩＢおよび拡張ＭＩＢ）に基づく情報である。
さらに、ホスト名が取得されたか否かは別途でフラグを立てるなどして記憶する。
この通信装置２のホスト名は、通信部１１にて通信装置２のＩＰアドレスに変更される。
【００５５】
（保守端末装置情報記憶部１６２）
保守端末装置情報記憶部１６２は、保守端末装置３に係る情報を記憶する構成部である。保守端末装置３のホスト名や、監視表１４１を保守端末装置３の表示部Ｖで表示可能な形式のデータにするための情報を記憶する。
【００５６】
（メッセージ取込部１７）
メッセージ取込部１７は、通信装置２から送信されるＴｒａｐを取得する構成部である。
【００５７】
（アラームメッセージ生成部１８）
アラームメッセージ生成部１８は、メッセージ取込部１７が取得したＴｒａｐから、保守員に連絡すべきＴｒａｐを抽出して、保守員が視認可能なアラームメッセージデータを生成して表示情報出力部１５に出力する構成部である。
アラームメッセージ生成部１８は、例えば、保守員に連絡すべきＴｒａｐの一覧と、そのＴｒａｐに係るアラームメッセージとが記録されたアラームＴｒａｐデータベース（不図示）を備える。そして、アラームメッセージ生成部１８は、アラームＴｒａｐデータベースを参照して、メッセージ取込部１７が取得したＴｒａｐから、保守員に連絡すべきＴｒａｐを抽出する。その抽出したＴｒａｐのアラームメッセージを表示情報出力部１５に出力する構成部である。
【００５８】
［ネットワーク監視装置の動作］
次に、図３〜５を参照して、ネットワーク監視装置１の動作について説明する（適宜、図１〜２、図６を参照）。
【００５９】
ネットワーク監視装置１は、通信部１１と、通信装置２（通信装置２Ａ、通信装置２Ｂ、通信装置２Ｃ、・・・）と、保守端末装置３とが、ネットワークＮで接続されており、ネットワーク監視装置１と通信装置２との間、および、ネットワーク監視装置１と保守端末装置３との間で、通信が行われている。
オブジェクト一覧設定情報記憶部１６１には、通信装置２のホスト名と、その通信装置２が備えるすべての監視対象部位のオブジェクトＩＤ（ＯＩＤ）と、そのオブジェクトＩＤが割り振られた監視対象部位が取りうるオブジェクトのパターンすべてのオブジェクトパターンと、そのオブジェクトパターンに割り当てられた一覧設定情報とがそれぞれ紐付いて記録されている。
【００６０】
まず、疎通確認部１２は、オブジェクト一覧設定情報記憶部１６１からホスト名を一つ取得し（ステップＳ１０１，図３）、ＰＩＮＧコマンドを用いて、そのホスト名に対応する通信装置２に疎通確認要求データを送信する（ステップＳ１０２）。
【００６１】
次に、疎通確認部１２は、通信部１１が疎通確認の応答信号を所定の時間内に受信したか否かを判定する（ステップＳ１０３）。
【００６２】
所定の時間内に受信しなかった場合（ステップＳ１０３，Ｎｏ）、疎通確認部１２は疎通確認結果情報「不明」を生成して、一覧情報生成部１４に出力する。そして、一覧情報生成部１４は、疎通確認要求データ送信先の通信装置２における、監視表１４１の監視項目『疎通状態』を「不明」に設定する（ステップＳ１０４）。
そして、疎通確認部１２は、ステップＳ１０１の処理に戻り、オブジェクト一覧設定情報記憶部１６１から未取得のホスト名を一つ取得する。
【００６３】
一方、所定の時間内に受信した場合（ステップＳ１０３，Ｙｅｓ）、疎通確認部１２は疎通確認結果情報「正常」を生成して、一覧情報生成部１４に出力する。そして、一覧情報生成部１４は、疎通確認要求データ送信先の通信装置２における、監視表１４１の監視項目『疎通状態』を「正常」に設定する（ステップＳ１０５）。
【００６４】
通信装置監視情報取得部１３（オブジェクト情報要求部１３１）は、オブジェクト一覧設定情報記憶部１６１から疎通確認要求データ送信先の通信装置２の監視対象部位のオブジェクトＩＤを一つ取得する（ステップＳ１０６）。
【００６５】
そして、オブジェクト情報要求部１３１は、取得すべき監視対象部位のオブジェクトＩＤが、オブジェクト一覧設定情報記憶部１６１に記録されているか否かを判定する（ステップＳ１０７）
【００６６】
取得すべき監視対象部位のオブジェクトＩＤが記録されていなければ（ステップＳ１０７，Ｎｏ）、オブジェクト情報要求部１３１は監視対象外情報を生成して、一覧情報生成部１４に出力する。
そして、一覧情報生成部１４は、疎通確認要求データ送信先の通信装置２における、監視表１４１の監視対象部位に係る監視項目を「監視対象外」に設定する（ステップＳ１０８）。そして、ステップＳ１０６の処理に戻る。
【００６７】
一方、取得すべき監視対象部位のオブジェクトＩＤが記録されていれば（ステップＳ１０７，Ｙｅｓ）、オブジェクト情報要求部１３１は、ステップＳ１０６の処理で取得したオブジェクトＩＤを含んだオブジェクト情報取得要求データ（ＳＮＭＰコマンド“GetRequest”）を生成する。そして、通信部１１を介して、疎通確認要求データ送信先の通信装置２に、オブジェクトＩＤを含んだオブジェクト情報取得要求データを送信する（ステップＳ１０９，図４）。
【００６８】
オブジェクト情報取得要求データ送信先の通信装置２は、オブジェクトＩＤ１６１２を含んだオブジェクト情報取得要求データを受信し、オブジェクトＩＤ２１２に対応するオブジェクト２１１（監視対象部位の状態情報）を含む応答データを生成し、ネットワーク監視装置１に送信する（ステップＳ１１０）。
【００６９】
これにより、通信部１１は、送信したオブジェクト情報取得要求データに対する応答データ（ＳＮＭＰコマンド“GetResponse”）を受信する（ステップＳ１１１）。そして、その応答データを通信装置監視情報取得部１３（オブジェクト情報取得部１３２）に出力する。
【００７０】
そして、オブジェクト情報取得部１３２は、応答データに含まれた、オブジェクトＩＤに対応するオブジェクト２１１を取得する（ステップＳ１１２）。
そして、オブジェクト情報取得部１３２は、オブジェクト２１１の内容を判定する（ステップＳ１１３）。
オブジェクト情報取得部１３２は、オブジェクト一覧設定情報記憶部１６１にて、オブジェクトＩＤ２１２と合致するオブジェクトＩＤ１６１２における、オブジェクト２１１と合致するオブジェクトパターン１６１３の一覧設定情報１６１４を取得する。この取得した一覧設定情報１６１４がオブジェクト２１１の内容である。
【００７１】
オブジェクト２１１が『正常』である旨の内容である場合（ステップＳ１１３，正常）、オブジェクト情報取得部１３２は、オブジェクトＩＤ１６１２と一覧設定情報「正常」とを一覧情報生成部１４に出力する。
そして、一覧情報生成部１４は、疎通確認要求データ送信先の通信装置２における、監視表１４１の監視対象部位（オブジェクトＩＤ１６１２）に係る監視項目に「正常」を設定する。（ステップＳ１１４）。
【００７２】
一方、オブジェクト２１１が『故障』である旨の内容である場合（ステップＳ１１３，故障）、オブジェクト情報取得部１３２は、オブジェクトＩＤ１６１２と一覧設定情報「故障」とを一覧情報生成部１４に出力する。
そして、一覧情報生成部１４は、疎通確認要求データ送信先の通信装置２における、監視表１４１の監視対象部位（オブジェクトＩＤ１６１２）に係る監視項目に「故障」を設定する（ステップＳ１１５）。
【００７３】
また、オブジェクト２１１が『注意』である旨の内容である場合（ステップＳ１１３，注意）、オブジェクト情報取得部１３２は、オブジェクトＩＤ１６１２と一覧設定情報「注意」とを一覧情報生成部１４に出力する。
そして、一覧情報生成部１４は、疎通確認要求データ送信先の通信装置２における、監視表１４１の監視対象部位（オブジェクトＩＤ１６１２）に係る監視項目に「注意」を設定する（ステップＳ１１６）。
【００７４】
次に、オブジェクト情報要求部１３１は、記憶部１６（オブジェクト一覧設定情報記憶部１６１）に、疎通確認要求データ送信先の通信装置２における未取得の監視対象部位のオブジェクトＩＤがあるか否かを判定する（ステップＳ１１７，図５）。
【００７５】
未取得の監視対象部位のオブジェクトＩＤがあれば（ステップＳ１１７，あり）、ステップＳ１０６（図３）の処理に戻り、オブジェクト情報取得部１３２は、記憶部１６（オブジェクト一覧設定情報記憶部１６１）から、疎通確認要求データ送信先の通信装置２における、未取得の監視対象部位のオブジェクトＩＤを一つ取得する。
【００７６】
一方、未取得の監視対象部位のオブジェクトＩＤがなければ（ステップＳ１１７，なし）、オブジェクト情報取得部１３２は疎通確認部１２に処理を行わせる。疎通確認部１２は記憶部１６（オブジェクト一覧設定情報記憶部１６１）から未取得のホスト名があるか否かを判定する（ステップＳ１１８）。
【００７７】
未取得のホスト名があれば（ステップＳ１１８，あり）、疎通確認部１２は、ステップＳ１０１（図３）の処理に戻り、記憶部１６（オブジェクト一覧設定情報記憶部１６１）から未取得のホスト名を一つ取得する。
【００７８】
未取得のホスト名がなければ（ステップＳ１１８，なし）、疎通確認部１２は一覧情報生成部１４に処理を行わせる。一覧情報生成部１４は監視表１４１を表示情報出力部１５に出力する（ステップＳ１１９）。
【００７９】
以上の動作により、表示情報出力部に送った監視表１４１には、ネットワーク監視装置１と接続された通信装置２のすべてと、それら通信装置２のそれぞれが備える監視対象部位のオブジェクト２１１が記録されている。
【００８０】
表示情報出力部１５は、監視表１４１を保守端末装置３の表示部Ｖで表示できる形式のデータにして、保守端末装置３に送信する（ステップＳ１２０）。
以上の動作により、保守端末装置３は表示部Ｖに監視表１４１（図３参照）を表示することができる。
【００８１】
これにより、通信装置２を監視している保守員Ｍは、保守端末装置３の表示部Ｖを見て、監視表１４１に表示された情報からすぐに通信装置２のどの監視対象部位で異常や故障が発生しているかを瞬時に判断することが可能になる。
【００８２】
ここで、本発明の実施形態に係るネットワーク監視装置１は、表示情報出力部１５が監視表１４１を、ネットワークを介して接続された保守端末装置３の表示部Ｖの画面に表示させていたが、ネットワーク監視装置１が表示部Ｖ１を備え、その表示部Ｖ１の画面に表示させても構わない。
【００８３】
本発明の実施形態に係るネットワーク監視装置１によれば、ハードウェア、ソフトウェア両者の視点で抽出した多種多様なメーカにより製造された通信装置の監視対象部位の一覧にした監視表に、通信装置から収集した各種状態を設定し、この監視表を保守端末装置の表示部に一つの状態監視画面に描写する方法により、マルチベンダなネットワーク監視システムであっても、通信装置を統合した状態監視を行うことができる。
【００８４】
これにより、通信装置からメッセージデータを大量に受信しているとき、アラームメッセージが表示される画面にて、メッセージは流れるようにスクロールされてしまっていた画面から必要なアラームメッセージを探す必要がなくなり、多種多様なメーカにより製造された通信装置に何が起こっているのか、何の障害が残っているのか、ハードウェア的な部位の障害なのか、もしくは、ソフトウェアの保守運用の異常なのかを、保守員はすぐに異常・故障の発生箇所を特定することができるため、探す手間を省くことができる。
【００８５】
また、監視対象部位に係るハードウェアの交換作業は、従来通り、通信装置に実装された機器やハードウェアの部位などを熟知した保守員が行う必要があるが、多種多様なメーカにより製造された通信装置の監視対象部位を一覧にした監視表を、保守端末装置の表示部の一つの画面に表示させる。これにより、状態監視結果を描写された監視表を見ることで、通信装置に実装された機器やハードウェアの部位などを熟知していない保守員でも通信装置を監視することができる。
【００８６】
（その他の実施形態）
本発明の実施形態に係るネットワーク監視装置１は、従来の通信装置２それぞれを監視するための各通信装置２固有の監視表をさらに表示させてもよい。
例えば、保守端末装置３の表示部Ｖの画面に表示される監視表１４１（図６参照）にて、監視項目『リソース使用率』の列の右横に、押下可能なボタンを監視機種別に設定し、記憶部１６には、各通信装置２固有の監視表を表示させるための通信装置用監視表生成プログラムと、通信装置用監視表データ記憶部とを記憶する。そして、ボタンが押下されたことを契機に、通信装置用監視表生成プログラムが起動することとする。これにより、保守員Ｍが監視表１４１のボタンを押下することで、対応する通信装置２の通信装置用監視表生成プログラムが起動し、通信装置２とのデータ送受信が行われて、保守端末装置３の表示部Ｖの画面に、通信装置２固有の監視表が表示されるようにしてもよい。
【符号の説明】
【００８７】
１      ネットワーク監視装置
２（２Ａ、２Ｂ、２Ｃ、・・・）  通信装置
３      保守端末装置（表示部Ｖ）
１１    通信部
１２    疎通確認部
１３（１３Ａ、１３Ｂ、１３Ｃ、・・・）  通信装置監視情報取得部
１４    一覧情報生成部
１５    表示情報出力部
１６    記憶部
１７    メッセージ取込部
１８    アラームメッセージ生成部
２１    ＭＩＢ
１００  ネットワーク監視システム
１３０  通信装置監視情報取得部群
１３１（１３１Ａ、１３１Ｂ、・・・）  オブジェクト情報要求部
１３２（１３２Ａ、１３２Ｂ、・・・）  オブジェクト情報取得部
１６１  オブジェクト一覧設定情報記憶部
１６２  保守端末装置情報記憶部
２１１  オブジェクト
２１２  オブジェクトＩＤ
１６１１  ホスト名
１６１２  オブジェクトＩＤ（記憶ＯＩＤ）
１６１３  オブジェクトパターン
１６１４  一覧設定情報
Ｍ      保守員
Ｎ      ネットワーク
【図１】
2010232733.tif 000003
【図２】
2010232733.tif 000004
【図３】
2010232733.tif 000005
【図４】
2010232733.tif 000006
【図５】
2010232733.tif 000007
【図６】
2010232733.tif 000008